(57)【要約】【課題】テレビ画面自体をメモとして取得でき、またＴＶ画面の取得タイミングをダウンロードした時間表に任せて自動取得するようにする。【解決手段】画像データを記憶するメモリ４と、このメモリ４からの出力または前記画像データを表示する表示手段９とを有する携帯電話１において、テレビ受信機２０からの画像データを接続する入力手段８と、この入力手段８から入力した画像データの表示形式をＮＴＳＣ形式からＲＧＢ形式へ変換するＮＴＳＣ−ＲＧＢ変換手段７とを備え、このＮＴＳＣ−ＲＧＢ変換手段７で変換した画像データを前記メモリ４に保存できるようにしたことを特徴とする。【選択図】  図１
2005277449.tif 000002
【特許請求の範囲】
【請求項１】
画像データを記憶するメモリと、このメモリからの出力または前記画像データを表示する表示手段とを有する携帯電話において、テレビ受信機から出力される画像データを入力する入力手段と、この入力手段から入力した画像データの表示形式をＮＴＳＣ（Ｎａｔｉｏｎａｌ  Ｔｅｌｅｖｉｓｉｏｎ  Ｓｙｓｔｅｍ  Ｃｏｍｉｔｔｅｅ）形式からＲＧＢ形式へ変換するＮＴＳＣ−ＲＧＢ変換手段とを備え、このＮＴＳＣ−ＲＧＢ変換手段で変換した画像データを前記メモリに保存できるようにしたことを特徴とするテレビ画像を取り込む携帯電話。
【請求項２】
インターネットのテレビ番組サイトから録画すべきテレビ番組時間をダウンロードし一時記憶する記憶手段と、前記一時記憶したテレビ番組時間になった時に検出出力を出すタイマー手段とを含む画像データの自動録画手段をさらに備え、前記タイマー手段の検出出力によりテレビ受信機からの画像データをメモリに自動的に記憶させる請求項１記載のテレビ画像を取り込む携帯電話。
【請求項３】
テレビ受信機に接続された携帯電話が、前記テレビ受信機からの画像データを入力し、この入力した画像データの表示形式をＮＴＳＣ形式からＲＧＢ形式へ変換し、この変換された画像データを前記携帯電話内のメモリに保存することを特徴とするテレビ画像の録画方法。
【請求項４】
携帯電話を用いて、インターネットのテレビ番組サイトから予約すべきテレビ番組時間をダウンロードして一時記憶し、この記憶したテレビ番組時間を検出した時、所定テレビ受信機からの画像データを自動的に前記携帯電話のメモリに取り込んで記憶させる請求項３記載のテレビ画像の録画方法。
【請求項５】
テレビ受信機からの画像データを携帯電話に入力し、前記携帯電話の表示手段に表示してモニターし、前記携帯電話のメモリに空き領域がある場合に、このメモリに前記テレビ受信機からの所望画像データを取り込んで記憶させる請求項３記載のテレビ画像の録画方法。
【請求項６】
テレビ受信機と、このテレビ受信機に接続された携帯電話とからなり、前記携帯電話が、前記テレビ受信機からの画像データを入力し、この入力した画像データの表示形式をＮＴＳＣ形式からＲＧＢ形式へ変換し、この変換された画像データを前記携帯電話内のメモリに保存できるようにしたことを特徴とするテレビ画像録画システム。
【請求項７】
携帯電話が、インターネットのテレビ番組サイトから予約すべきテレビ番組時間をダウンロードし、前記予約したテレビ番組時間になった時、所定テレビ受信機からの画像データを前記携帯電話のメモリに自動的に取り込み、記憶させる請求項６記載のテレビ画像録画システム。
【請求項８】
携帯電話は、テレビ受信機からの画像データを入力して前記携帯電話の表示手段に表示してモニターし、前記携帯電話のメモリに空き領域があった場合に、このメモリに所望画像データを取り込んで記憶させる請求項６記載のテレビ画像録画システム。
【発明の詳細な説明】
【技術分野】
【０００１】
本発明は、テレビ画像を取り込む携帯電話、その録画方法およびその携帯電話システムに関し、特にテレビ画像を取り込むことの出来る携帯電話およびその録画方法に関する。
【背景技術】
【０００２】
現在、テレビ画像を取り込む装置としてＶＴＲ（ビデオテープレコーダ）があるが、これは簡単に持ち運ぶことは出来ない。また、一般に携帯電話は、携帯して簡単に持ち運ぶことができ、また簡単なメモ機能などを持つメモリが搭載されている。しかし、このメモ機能などを搭載した携帯電話でも、テレビなどの情報が出ている時間が決まっている媒体においては、メモを取りきれないなどの状況が発生する。また、携帯電話に付属しているカメラなどで情報を取得する方法もあるが、テレビの走査線の映り込み、手ぶれによって画面の情報が取得できないという不安もある。さらに、最近では、ＴＶ画面に映像を出力することの出来る出力端子を持った携帯電話も現れている（例えば、ａｕ｛ＫＤＤＩ社の商標名｝の携帯電話Ａ５５０１Ｔがある）。
【０００３】
従来の、携帯電話によってＴＶ番組を入手することもでき、またテレビ画像の情報を取り込み特定の携帯端末機にダウンロードする装置もある。これらを組み合わせることにより、テレビ画像を自動的に取り込む装置が可能と思われる。
【０００４】
例えば、特許文献１に記載されているように，携帯電話を用いてＴＶ番組を入手するシステムを、図６、図７により説明する。図６はこのようなＴＶ番組記録システムを適用した場合の構成図、図７は図６における携帯電話のブロック図である。このシステムにおいて、携帯電話１ａは、この携帯電話１ａと他の携帯電話との通話およびデータ通信を行なうための携帯電話網３１に接続される。携帯電話網３１は、インターネット３２を介して、インターネット３２に接続された録画予約用サイト３３と接続される。また、携帯電話１ａは、ポケットベルセンター３４を介してページャ３５と接続される。そして、ページャ３５は、送られて来るメッセージに応じて遠隔操作し、録画を実施する。
【０００５】
また、携帯電話１ａは、図７のように、液晶ディスプレイにて構成された表示部９ａ、矢印キー１７、機能キー１５を備えている。ページャ３５は、発呼されると、ポケットベルセンター３４から送られて来るメッセージに応じてビデオテープレコーダ３６を遠隔操作するための赤外線を出力し、その制御によって録画が実施される。
【０００６】
また、携帯電話１ａは、その送受信部２ａがアンテナ１１ａを介して送受信する信号を変調・復調して携帯電話網３１を構成する基地局との間で無線通信を行う。また、音声出力部１３は、通話時に他の電話装置から送られてくる音声信号を音声として出力し、また基地局から呼出信号が送信されてきた時着信音を発生する。また、音声入力部１４は、利用者の音声を入力し、また制御部１２は、これら各部に接続されて各種制御処理を行う。この制御部１２は、マイクロコンピュータとして構成され、ＣＰＵ６ａ、ＲＯＭ４ａ、ＲＡＭ４ｂを備えている。
【０００７】
制御部１２の各種制御処理の１つとして、インターネットに接続されたサイトを表示部９ａに表示する閲覧処理がある。この閲覧処理にて表示部９ａに表示されるサイトは、表示部９ａに表示可能なように情報がコンパクトかつ表示部９ａ用の書式にされたものに限られる。録画予約用サイト３３もそうしたサイトの一つである。
【０００８】
この録画予約用サイト３３から携帯電話１ａに供給された番組ガイド情報は、簡易ＥＰＧとして表示部９ａに出力される。従って、携帯電話１ａの利用者は、放送される番組を確認できる。そして矢印キー１７、機能キー１５を用いて番組を指定すると、録画予約用サイト３３からその番組のＧコードが送られて来るので、これを発呼したページャ３５に送信する。被呼したページャ３５は、送信されてくる番組のＧコードにしたがって、ビデオテープレコーダ３６に記録予約する。この番組記録システムによれば、携帯電話１ａを携行していれば、ビデオテープレコーダ３６から離れていても録画予約を行なうことができる（特許文献１参照）。
【０００９】
なお、この特許文献１の携帯電話によるＴＶ番組を入手する場合は、利用者が無線電話を持ってさえいれば、外出先からでも番組の確認ができ、かつその番組の記録予約を可能にし、携帯電話１ａによりＴＶ番組の容易に入手できる。しかし、そのＴＶ番組を録画するために，ページャ３５およびビデオテープレコーダ（ＶＴＲ）３６を必要とし、大がかりなシステムとなってしまい、その取り扱いも容易ではないという問題がある。
【００１０】
さらに、特許文献２には、テレビ画像の情報を取り込む特定の携帯端末機にダウンロードする装置が、図８に示されてい２２図８はテレビジョン受像機の放映画像から必要な画面情報データを移動携帯端末機に直接ダウンロードして利用する場合のブロック図である。図８に示すように、テレビジョン受像機２０ａには、テレビジョン放送番組の放映画像等から必要な情報を表示されているが、視聴者は、表示された必要な情報を屋内ネットワーク網２９を介して携帯電話機１ｂにダウンロードする。このダウンロードされた情報は、適当な時期に利用を可能となる。このダウンロードシステムは、テレビジョン受像機２０ａに対して複数の携帯電話機１ｂ〜１ｎとが屋内ネットワーク網を介して接続可能であり、それぞれが必要な情報をダウンロード出来る。テレビジョン放送番組は、画像データとテキストデータとが独立したデータ形態として番組情報が送信される多重化テレビジョン放送番組、或いはこれらが分離されていないデータ形態で番組情報が送信される非多重化テレビジョン放送番組がある。
【００１１】
テレビジョン受像機２０ａは、図８に示すように、アンテナ１１ａにより放送局等から送信される放送番組の電波を受信部２１で受信し、表示部２２にチャンネル選択された放送番組を再生表示する。この受信部２１の出力は、データ抽出作成部２３に接続される。
データ抽出作成部２３の出力は、屋内ネットワーク網２９と接続されるネットワーク・インターフェース部２４に接続される。テレビジョン受像機２０ａは、データ抽出作成部２３及びネットワーク・インターフェース部２４を除く他の構成について従来のテレビジョン受像機とほぼ同等である。
【００１２】
データ抽出作成部２３は、受信部２１からのテキストデータと画像データとを抽出して必要な送信データを作成する。このデータ抽出作成部２３は、データ抽出部とデータ作成部とからなる。データ抽出部は、非多重化テレビジョン放送についてデータ処理を行う画面取込ユニット２５及びテキストデータ認識ユニット２６を有し、さらに多重化テレビジョン放送についてデータ処理を行うテキスト・画像分離ユニット２７および携帯電話機１ａに対する送信データを作成する送信データ作成ユニット２８を有している。
【００１３】
データ抽出作成部２３は、表示部２２に放映画像が再生表示された状態において、携帯電話機１ｂからデータ要求信号が送信されると、当該テレビジョン放送番組が多重化テレビジョン放送か非多重化テレビジョン放送かを判断する。データ抽出作成部２３は、文字情報データと画像情報データとの識別が無い状態で番組情報が送信される非多重化テレビジョン放送の場合に、受信部２１の受信情報から画面取込ユニット２５により放映画像に関する画面取込を行う。データ抽出作成部２３は、この取り込んだ画面情報の中から、テキストデータ認識ユニット２６によってテキストデータを抽出する。
【００１４】
多重化テレビジョン放送番組の場合、文字情報データと画像情報データとが独立した状態で番組情報が送信される。この多重化テレビジョン放送番組の場合に、データ抽出作成部２３は、、テキスト・画像分離ユニット２７によって受信部２１の受信情報から直接テキストデータと画像データとを分離する。
【００１５】
テキストデータは、放映画像に関連する情報として表示部２２の画面上に表示された名称、電話番号、住所或いはホームページアドレス等の全ての文字情報に関するデータである。また、画像データは、放映されている画像に関するデータ若しくは多重化されているデータであり、例えば地図データ等も含まれる。テキストデータと画像データとは、各ユニットによって分離されて、送信データ作成ユニット２８に供給される。送信データ作成ユニット２８は、これらテキストデータと画像データとから必要なデータを抽出し、所定のフォーマット化を行って携帯電話機１ｂに対して送信する送信データを作成する。送信データは、ネットワーク・インターフェース部２４から上述した屋内ネットワーク網２９を介して携帯電話機１ｂに送信される。
【００１６】
携帯電話機１ｂは、基本的な構成を通常の携帯電話機と同等である。携帯電話機１ｂは、図８に示すように、アンテナ１１ａと、送信部２ｂ及び受信部２ｃと、ＣＰＵ等からなる通信制御部１２ａとを有し、またマイクロホンとスピーカも備えている。携帯電話機１ｂは、さらに屋内ネットワーク網２９と接続されるネットワーク・インターフェース部１９を備えている。
【００１７】
このテレビジョン受像機２０ａの表示部２２には、放映されているテレビジョン放送番組の放映画像の中に視聴者が保存等を必要とする情報が表示されているとする。この場合に、携帯電話機１ｂからテレビジョン受像機２０ａに対してデータ要求が行われる。ダウンロードシステムにおいては、テレビジョン受像機２０ａにおいて、このデータ要求に基づいて画像データ及びテキストデータの抽出及び送信データの作成が行われて携帯電話機１ｂへと送信される。ダウンロードシステムにおいては、テレビジョン受像機２０ａと携帯電話機１ｂとの間の相互通信が屋内ネットワーク網２９を介して行われる（特許文献２参照）。
【００１８】
【特許文献１】特開２００１−１４５１４０号公報
【特許文献２】特開２００２−０４４１９３号公報
【発明の開示】
【発明が解決しようとする課題】
【００１９】
しかし、この特許文献１の携帯電話によるＴＶ番組を入手する場合は、利用者が無線電話を持ってさえいれば、外出先からでも番組の確認ができ、かつその番組の記録予約を可能にし、携帯電話１ａによりＴＶ番組の容易に入手できる。しかし、そのＴＶ番組を録画するために，ページャ３５およびビデオテープレコーダ（ＶＴＲ）３６を必要とし、大がかりなシステムとなってしまい、その取り扱いも容易ではないという問題がある。
【００２０】
また、特許文献２のテレビ画像の情報を取り込む特定の携帯端末機にダウンロードする装置も、特別の装置をつくる必要があり、汎用性がなく、携帯する事も容易ではないという問題がある。
【００２１】
本発明の目的は、テレビ画面自体をメモとして取得でき、またＴＶ画面の取得タイミングをダウンロードした時間表に任せて自動取得するようにして、必要な情報を漏れなく取り込み、さらにそれをメモとして持ち運ぶことを可能とするテレビ画像を取り込む携帯電話、その録画方法およびその録画システムを提供することにある。
【課題を解決するための手段】
【００２２】
本発明の構成は、画像データを記憶するメモリと、このメモリからの出力または前記画像データを表示する表示手段とを有するテレビ画像を取り込む携帯電話において、テレビ受信機からの画像データを入力する入力手段と、この入力手段から入力した画像データの表示形式をＮＴＳＣ形式からＲＧＢ形式へ変換するＮＴＳＣ−ＲＧＢ変換手段とを備え、このＮＴＳＣ−ＲＧＢ変換手段で変換した画像データを前記メモリに保存できるようにしたことを特徴とする。
【００２３】
本発明において、インターネットのテレビ番組サイトから録画すべきテレビ番組時間をダウンロードし一時記憶する記憶手段と、前記一時記憶したテレビ番組時間になった時に検出出力を出すタイマー手段とを含む画像データの自動録画手段をさらに備え、前記タイマー手段の検出出力によりテレビ受信機からの画像データをメモリに自動的に記憶させることが出来る。
【００２４】
本発明のテレビ画像の録画方法の構成は、テレビ受信機に接続された携帯電話が、前記テレビ受信機からの画像データを入力し、この入力した画像データの表示形式をＮＴＳＣ形式からＲＧＢ形式へ変換し、この変換された画像データを前記携帯電話内のメモリに保存することを特徴とする。
【００２５】
本発明において、携帯電話を用いて、インターネットのテレビ番組サイトから予約すべきテレビ番組時間をダウンロードして一時記憶し、この記憶したテレビ番組時間を検出した時、所定テレビ受信機からの画像データを自動的に前記携帯電話のメモリに取り込んで記憶させることができ、また、テレビ受信機からの画像データを携帯電話に入力し、前記携帯電話の表示手段に表示してモニターし、前記携帯電話のメモリに空き領域がある場合に、このメモリに前記テレビ受信機からの所望画像データを取り込んで記憶させることが出来る。
【００２６】
本発明のテレビ画像録画システムの構成は、テレビ受信機と、このテレビ受信機に接続された携帯電話とからなり、前記携帯電話が、前記テレビ受信機からの画像データを入力し、この入力した画像データの表示形式をＮＴＳＣ形式からＲＧＢ形式へ変換し、この変換された画像データを前記携帯電話内のメモリに保存できるようにしたことを特徴とする。
【００２７】
本発明において、携帯電話が、インターネットのテレビ番組サイトから予約すべきテレビ番組時間をダウンロードし、前記予約したテレビ番組時間になった時、所定テレビ受信機からの画像データを前記携帯電話のメモリに自動的に取り込み、記憶させることが出
来、また、携帯電話は、テレビ受信機からの画像データを入力して前記携帯電話の表示手段に表示してモニターし、前記携帯電話のメモリに空き領域があった場合に、このメモリに所望画像データを取り込んで記憶させことが出来る。
【発明の効果】
【００２８】
以上説明したように、本発明の構成によれば、テレビ画像をメモのように簡単に取得することができるという効果がある。また、取得した画面を携帯電話の画面で確認することができるため、テレビの画像に記載されている情報をメモのように持ち運ぶことができという効果がある。
【発明を実施するための最良の形態】
【００２９】
次に図面により本発明の実施形態を説明する。図１は本発明の一実施形態のテレビと携帯電話のブロック図である。この図１に示すように、本実施形態は、ＮＴＳＣ出力が可能な外部機器としてのテレビ受信機２０からの画像データを受けることの出来る携帯電話１を示している。テレビ受信機２０は、通常のＮＴＳＣ（Ｎａｔｉｏｎａｌ  Ｔｅｌｅｖｉｓｉｏｎ  Ｓｙｓｔｅｍ  Ｃｏｍｉｔｔｅｅ）形式の画像データを出力するが、携帯電話１は、そのＮＴＳＣ形式の画像データをＲＧＢ形式の画像データに変換するＮＴＳＣ−ＲＧＢコンバータ７を備えることを特徴とする。
【００３０】
通常の携帯電話は、ＲＧＢ表示による表示部（ＬＣＤ）９を備えている。従って、テレビ受信機２０からの画像データがＮＴＳＣ出力であっても、ＮＴＳＣ−ＲＧＢコンバータ７によりＲＧＢ表示に変換出来るので、テレビ受信機２０からの画像データを表示できるようになる。また、通常の携帯電話は、カメラにより撮像された画像データを、ミニＳＤなどの外部付加メモリに記憶させることが出来る。従って、テレビ受信機２０からの画像データも同様に記憶させることが可能となる。
【００３１】
図２は本実施形態の携帯電話とＮＴＳＣ出力が可能な外部機器のテレビ受信機との接続を示す構成図であり、図３は本実施形態の携帯電話に、ＴＶ時間表をダウンロードするイメージを説明する構成図である。図２において、携帯電話１は、テレビ受信機２０の画像出力端子から携帯電話１の画像入力端子となるコネクタ（入力手段）８にケーブルで接続している。テレビ受信機２０の映像出力は、ＮＴＳＣ出力であり、テレビ受信機２０は、外部から取り込んだ時間表通りにテレビ画像を出力する。そして、携帯電話１はその映像出力を取り込み、携帯電話１の画像メモリでテレビ画像を記憶し保存する亊ができる。それは、携帯電話１が、ＮＴＳＣ形式の画像をＲＧＢ形式の画像に変換するＮＴＳＣ−ＲＧＢコンバータ７を搭載しているからである。このようにテレビ２０から携帯電話１に対して入力されるＮＴＳＣ画像は、携帯電話１のＮＴＳＣ−ＲＧＢコンバータ７によりＲＧＢ形式の画像に変換されて保存される。
【００３２】
また、図３において、基地局３０は、携帯電話１に対して携帯電話網を形成する基地局であり、携帯電話１は、基地局３０を介して外部から取り込んだ時間表通りにテレビ画像を取り込むことができる。また、携帯電話１は、基地局３０を通してインターネットのサイトに接続され、テレビの時間表をダウンロードすることができる。テレビの時間表は、テレビの放映される時間と内容が含まれるデータを指す。携帯電話１ではダウンロードした時間表を用いて、ユーザーから指定された時間に放映される内容を、図２のような接続でテレビ２０から画像として取り込むことが出来る。
【００３３】
本実施形態では、図３のように、ダウンロードした時間表を用いて、ユーザーが指定した時間に自動的に、図２のように、テレビ２０から入力されるＮＴＳＣ形式の画像をＲＧＢ形式に変換しながら保存することを特徴とする。
【実施例１】
【００３４】
図１は本発明の一実施例を説明する携帯電話とテレビを含むブロック図である。図１において、テレビ２０の映像出力がコネクタ８を介してＮＴＳＣ−ＲＧＢコンバータ７に接続される。ＮＴＳＣ−ＲＧＢコンバータ７は、各種制御を行うＣＰＵ６に接続される。これ以外の部分は、通常の携帯電話と同様の構成となっている。すなわち、携帯電話１のアンテナ１１は送受信をするに接続され、無線部２はベースバンド処理部３を介してＣＰＵ６に接続される。ＣＰＵ６は、記憶領域４、操作制御部（キーボード）５に接続され、また、表示部となるＬＣＤ９、タイマーとなるＲＴＣ（ＩＣ；Ｒｅａｌ Ｔｉｍｅ Ｃｌｏｃｋ）１０に接続される。
【００３５】
携帯電話１は、インターネットのサイトからダウンロードしたＴＶ時間表を用いてユーザーが携帯電話（移動機）に時刻を設定する。ユーザーが設定した時刻は、携帯電話の内部でＲＴＣ１０により設定される。ＲＴＣ１０は、こ外部入力で設定された時間からカウントを開始することによって、現在の時刻をＩＣの中に保持し続ける機能をもつ。また、外部入力で設定されたアラーム時刻と、ＩＣに保持している現在の時刻を監視し、アラーム時刻と現在の時刻が一致したら、アラームを発生することができる機能を持つ。この機能を用いて、ＲＴＣ１０は、設定された時刻になると、ＣＰＵ６に通知を行う。ＣＰＵ６は、その通知をトリガにしてＮＴＳＣ−ＲＧＢコンバータ７を起動する。ＮＴＳＣ−ＲＧＢコンバータ７は、テレビ２０から入力されるＮＴＳＣ形式の画像データをＲＧＢ形式の画像データに変換し、随時記憶領域４に保存する。保存したデータは、携帯電話１で再生することにより、携帯電話１単体でもＬＣＤ９に表示することができる。
【００３６】
また、本実施例では、ＲＴＣ１０の通知を用いて、以下の３種類の方法で自動的な動作ができる。この動作は、インターネットのサイトからダウンロードしてきた時間表を用いて、自動で行われる。
（１）自動で画像の取り込みを開始し、その取り込みを自動で終了する。
（２）自動で画像の取り込みを開始し、その取り込みを手動で終了する。
（３）手動で画像の取り込みを開始し、その取り込みを自動で終了する。
【００３７】
図１により、携帯電話の動作を説明する。ＣＰＵ６は、アンテナ１、無線部２、ベースバンド処理部３を通して、インターネットのサイトに接続し、テレビの時間表をダウンロードすることが可能である。また、ＣＰＵ６は、ダウンロードしたテレビの時間表を記憶領域４に保存することができる。また、、操作制御部５は、ユーザーの操作を伝えることができ、ユーザーの操作によって各種操作を行うことができる。ＮＴＳＣ−ＲＧＢコンバータ７は、コネクタ８を通して入力されたテレビ２０からのＮＴＳＣ形式の画像をＲＧＢ形式に変換する。ＬＣＤ９は、テレビ２０、コネクタ８、ＮＴＳＣ−ＲＧＢコンバータ７を通ってＲＧＢ形式に変換された画像データを表示することができ、また、記憶領域４に保存されたＲＧＢ形式の画像を表示することも可能である。
【００３８】
ＲＴＣ１０は、設定された時間からカウントをはじめ、現在の時刻を読み出すことができ、設定した時間になったときにアラームを発行することができる。本実施例では、ダウンロードしたＴＶ番組時間表から、記憶（録画）すべきテレビ番組時間をＲＴＣ１０に一時記憶し設定する。そしてＲＴＣ１０が、設定時間になったらＣＰＵ６に通知する。その通知によって、ＣＰＵ６はＮＴＳＣ−ＲＧＢコンバータ７でＲＧＢ形式に変換された画像を記憶領域４に取り込む。
【００３９】
図４は本実施例において、画像をメモとして保存できる携帯電話でダウンロードした時間表にしたがって自動で画像取込を行う場合のフローチャートである。本実施例は、図２のように、携帯電話１とテレビ２０とを接続し、テレビ２０の画像を携帯電話１の中に取り込むことができる。その画像データはＮＴＳＣ形式でテレビ２０から出力され、携帯電話１に入力される。そして、携帯電話１に取り込んだデータを携帯電話単体でも再生して見ることによって、テレビ２０の画像をメモのように取得することができる。この動作を行うとき、画像の取得は設定された時間表にしたがって、時間が来たら自動でデータの取り込みが行われるようにする。時間表は、図２に示すように、インターネットのサイトからダウンロードする。
【００４０】
まず、図４の画像取り込みの自動処理のフローについて、その動作を説明する。ＣＰＵ６は、インターネットのサイトから時間表をダウンロードするとき、アンテナ１、無線部２、ベースバンド処理３を通じてインターネットのサイトに接続し、時間表のダウンロード処理を行う（ステップＳ１）。ダウンロードされた時間表は、記憶領域４に格納される。記憶領域４は、インターネットのサイトからダウンロードした時間表と、テレビ２０から携帯電話１に入力された画像データを保存する。
【００４１】
次に、ステップＳ２で、設定された時間の検出を行う。この際は、ＲＴＣ１１、ＣＰＵ６、記憶領域４（ダウンロードされた時間表）を用いて行う。ＲＴＣ１１は、時刻を合わせることで、現在の時刻が読み出せる。このＲＴＣ１１に時間を設定しておくことで、ＣＰＵ６は、画像データの取り込みを開始する時間をＲＴＣ１１から通知を受取り、受取った通知をトリガとして画像データの取り込みを開始する。また、時間表の終了時間に合わせて、画像の取り込みを終了する場合も、ＲＴＣ１１に終了の時間を設定することで、通知を受けることができる。これによって、時間表の時間通りに画像データの取得開始、取得終了が可能となる。ＮＴＳＣ−ＲＧＢコンバータ７、コネクタ８は、テレビ９から出力される画像データの取り込みを行うことが可能である。
【００４２】
次に、ステップＳ３で、ＣＰＵ６は、記憶領域４に空があるかどうかを確認する。この処理では、記憶領域４とＣＰＵ６によって検出する。この処理は、画像の取り込みを行うだけのメモリ容量が記憶領域４に空いているかどうかを確認するものである。ＣＰＵ６は、記憶領域４の空領域を検索し、取り込む画像の最大値として設定できる時間分の空領域が記憶領域４に確保できるかどうかを確認する。ここで記憶領域４に十分な空領域が確保できない場合（Ｎｏ）、ＲＧＢ形式に変換された画像データの保存終了（ステップＳ９）となる。
【００４３】
記憶領域４に空がありステップＳ３で、記憶領域４に十分な空領域が確保できた場合、ＮＴＳＣ−ＲＧＢコンバータ７、コネクタ８を通して、テレビ２０から出力される画像データの取り込みを行う。画像データの取り込みを行う際、テレビ２０から出力される画像データは、ＮＴＳＣ形式の画像データである。一方、携帯電話１で表示できる形式は、ＲＧＢ形式の画像データであるため、ＮＴＳＣ形式の画像データは、ＮＴＳＣ−ＲＧＢコンバータ７によりＲＧＢ形式の画像データに変換してから、携帯電話１に保存する。
【００４４】
テレビ２０から出力されたＮＴＳＣ形式の画像データは、コネクタ８を通じて携帯電話内に取り込まれる。コネクタ８を通って携帯電話の中に取り込まれたＮＴＳＣ形式の画像データは、ＮＴＳＣ−ＲＧＢコンバータ７により、ＲＧＢ形式の画像データに変換される。ＲＧＢ形式に変換された画像データはＣＰＵ６によって記憶領域４に保存される。
【００４５】
次に、ステップＳ５で、ケーブルが外れていない場合（Ｙｅｓ）、さらにステップＳ６で、記憶領域４に余裕がある場合（Ｙｅｓ）、ステップＳ７で、ユーザーによる終了処理はない場合（Ｙｅｓ）、さらにステップＳ８で、設定された終了時間になっていない場合（Ｙｅｓ）は、画像の取り込み処理の終了要因となる条件の内容である。また、ステップＳ５からステップＳ８で、いずれも条件に対してＮｏとなる場合は、ＮＴＳＣ形式の画像データ取り込みを終了し、ＲＧＢ形式に変換された画像データの保存終了（ステップＳ９）の状態に移行する。以下条件の詳細について記載する。
【００４６】
ケーブルが外れていない場合（ステップＳ５）は、図１のコネクタ８とテレビ２０を接続するケーブルが外れる事による画像取り込み停止の条件である。本内容は、テレビ２０から出力される画像データが携帯電話１に入らなくなることで発生するため、コネクタ８とテレビ２０を接続しているケーブルのコネクタ８側が外れても、テレビ２０側が外れても同様の内容となる。
【００４７】
記憶領域に余裕がある場合（ステップＳ６）は、図１の記憶領域４に保存している画像データが、確保した記憶領域いっぱいまで保存されてしまい、これ以上画像データを取り込むことができなくなった場合での停止条件である。テレビ２０から出力されたＮＴＳＣ形式の画像データを、コネクタ８を通してＮＴＳＣ−ＲＧＢコンバータ７でＲＧＢ形式の画像データに変換し、記憶領域４に保存する処理の最初で、画像を保存する記憶領域４にデータ格納領域を確保する。本内容は、このとき記憶領域４に確保された画像データ保存用の領域をすべて使い切ってしまった状態を指す。
【００４８】
ユーザーによる終了処理はない場合（ステップＳ７）は、図１の操作制御５からＣＰＵ６に対して画像取り込み処理の終了を通知された場合での停止条件である。操作制御５は、ユーザーからの入力をＣＰＵ６に伝える制御であり、ユーザー操作による停止制御も可能である。本処理は、操作制御５からユーザーの操作によって、ＣＰＵ６に対して画像取り込み処理の終了を通知する状態を指す。
【００４９】
設定された終了時間になっていない場合（ステップＳ８のＹｅｓ）は、図１のＲＴＣ１１に設定された画像取り込み終了の時間となっていない場合で、画像取り込みを継続し、ステップＳ５に戻る。ＲＴＣ１１が設定された画像取り込み終了の時間となると（Ｎｏ）、ＲＴＣ１１から画像取り込み終了の通知が上がった状態である。本内容は、ＣＰＵ６がＲＴＣ１１からの画像取り込み時間終了の通知を受けたことをトリガに画像取り込み処理を終了する状態を指す（ステップＳ９）。
【００５０】
本実施例の構成によれば、テレビ画像をメモのように簡単に取得することができるという効果がある。また、取得した画面を携帯電話の画面で確認することができるため、テレビの画像に記載されている情報をメモのように持ち運ぶことができという効果がある。
【００５１】
また、本実施例によれば、ダウンロードしたテレビ番組時間表に沿ってテレビ画面の自動取得時間表を設定することが出来る。従って、ほしい情報を自動的に取得してくれるため、必要な情報が表示されるまで待たなくても、自動で情報を取得することができる。
【００５２】
さらに、手動でテレビ画像の必要な情報のみ取得し、自動で終了することができる。すなわち、テレビ番組時間表を設定しておいた場合、自動開始を設定していない時間に、手動で開始しても情報の区切りで自動的に取得を停止することもできる。この機能により、携帯電話の限られたメモリを効率よく利用することができ、またいらない情報まで取得することを防止することが可能となる。
【実施例２】
【００５３】
図５は本発明の第２の実施例として、画像をメモとして保存できる携帯電話で手動による画像取り込みを行う際のフローチャートである。この場合の構成は、図１実施例のブロック図と同様であり、またステップＳ４以降の動作は図４と同様である。この図５の画像取り込みの手動処理において、その動作を説明する。まず、ステップＳ１１で、テレビ受信機２０と携帯電話１とを接続し、自動処理となっていないことを確認する。ステップＳ１２で、携帯電話１の表示手段ＬＣＤ９にテレビ画像データを表示し、表示された画像をモニターしながら、ステップＳ１３で、テレビ２０から携帯電話１に入力された画像データをメモリ（記憶領域）４に取り込む。
【００５４】
この場合、ステップＳ３ａで、ＣＰＵ６は、記憶領域４に空があるかどうかを確認する。この処理は、画像の取り込みを行うだけのメモリ容量が記憶領域４に空いているかどうかを確認するものである。ＣＰＵ６は、記憶領域４の空領域を検索し、取り込む画像の最大値として設定できる時間分の空領域が記憶領域４に確保できるかどうかを確認する。ここで記憶領域４に十分な空領域が確保できない場合（Ｎｏ）、画像のモニターをするステップＳ１２に戻り、記憶領域４にの空領域があるようにする。
【００５５】
記憶領域４に空領域がありステップＳ３で、記憶領域４に十分な空領域が確保できた場合（Ｙｅｓ）、ＮＴＳＣ−ＲＧＢコンバータ７、コネクタ８を通して、テレビ２０から出力される画像データの取り込みを行う。これ以降ステップＳ４〜９の処理は，図４と同様になる。ただし、ステップＳ８のタイマーによる確認は不要となる。
【００５６】
図５のように手動で画像を取得することによって、現在見ているテレビの内容を任意のタイミングで取得することができる。図４のダウンロードした時間表に沿って自動ダウンロードの場合は、不要な画像や余計な画像も記憶領域４に取り込むので、記憶領域４を多く使用してしまう。しかし、図５のように手動で取得する場合には、画像記憶の開始や停止も手動となるので、記憶容量の少ない記憶領域４を有効に利用できる。
【００５７】
さらに、画像記憶の開始時間、停止時間を一瞬にすることで、画像を一枚の写真のように取得することもでき、テレビ画面に対するカメラのように使用することができる。
【産業上の利用可能性】
【００５８】
本発明のテレビ画像を取り込むの携帯電話は、家庭用テレビ受信機を含む画像データ出力のある各種テレビ受信機と組合わせて適用することが出来る。また、この携帯電話は、小型携帯用のテレビ受信機と共に携帯すれば、任意の場所に持参してメモとして利用できる。
【図面の簡単な説明】
【００５９】
【図１】本発明の第１の実施形態を説明する携帯電話のブロック図である。
【図２】図１の実施形態の携帯電話とＴＶ受信機との接続を示すブロック図である。
【図３】図１の実施形態の携帯電話が基地局からの情報を受ける場合のブロックである図。
【図４】図１の実施形態の携帯電話による自動録画の場合のフロー図である。
【図５】本発明の第２の実施例として携帯電話による手動録画の場合のフロー図である。
【図６】従来例の携帯電話によるＴＶ番組入手する場合の構成図である。
【図７】図６における携帯電話のブロック図である。
【図８】従来例の携帯電話とＴＶ受信機との接続を示すブロック図である。
【符号の説明】
【００６０】
１，１ａ，１ｂ，・・１ｎ    携帯電話（機）
２    無線部（送受信部）
３    ベースバンド処理部
４    記憶領域（部）
４ａ，４ｂ    ＲＯＭ，ＲＡＭ
５    操作制御部
６，６ａ    ＣＰＵ
７    ＮＴＳＣ−ＲＧＢコンバータ
８    コネクタ
９    ＬＣＤ
９ａ，２２    表示部
１０    ＲＴＣ（ＲｅａｌＴｉｍｅＣｌｏｃｋ）
１１，１１ａ，１１ｂ    アンテナ
１２    制御部
１３    音声出力部
１４    音声入力部
１５    機能キー
１７    矢印キー
１９，２４    ネットワーク・インターフェース部
２０，２０ａ    ＴＶ受信機
２１    ＴＶ受信部
２３    データ抽出作成部
３０    基地局
３２    インターネット
３５    ページャ
３６    ＶＴＲ
【図１】
2005277449.tif 000003
【図２】
2005277449.tif 000004
【図３】
2005277449.tif 000005
【図４】
2005277449.tif 000006
【図５】
2005277449.tif 000007
【図６】
2005277449.tif 000008
【図７】
2005277449.tif 000009
【図８】
2005277449.tif 000010